【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  デジタル伝送システムで伝送されるデータを認証する方法であって、伝送より前に、前記データの少なくともいくつかに対する少なくとも２つの暗号化値を決定するステップであって、各暗号化値がそれぞれの暗号化アルゴリズムの鍵を使用して同じデータのために決定されることと、前記データとともに前記少なくとも２つの暗号化値を出力するステップとを含むことを特徴とするデジタル伝送システムで伝送されるデータを認証する方法。
【請求項２】  前記データが鍵を含むことを特徴とする請求項１に記載の方法。
【請求項３】  前記データが、データを処理するための暗号化アルゴリズムの公開鍵を含む少なくとも１つのデジタル認証を含むことを特徴とする請求項２に記載の方法。
【請求項４】  前記データが、データを処理するための暗号化アルゴリズムの公開鍵を含む少なくとも１つのデジタルルート認証を含むことを特徴とする請求項３に記載の方法。
【請求項５】  前記少なくとも１つのデジタル認証が、この認証に含まれた前記公開鍵の前記暗号化アルゴリズムの私用鍵を使用して計算されたデジタルシグネチャを含むことを特徴とする請求項３あるいは請求項４に記載の方法。
【請求項６】  前記データが、取り消された公開鍵の識別子を含むことを特徴とする請求項１乃至５のいずれか１項に記載の方法。
【請求項７】  前記識別子が、前記取り消された公開鍵を含むデジタル認証の識別子を含むことを特徴とする請求項６に記載の方法。
【請求項８】  前記識別子が、前記取り消された公開鍵を含むデジタルルート認証の識別子を含むことを特徴とする請求項７に記載の方法。
【請求項９】  前記データが、複数の前記識別子を含み、各識別子がそれぞれの取り消された公開鍵を識別することを特徴とする請求項６乃至８のいずれか１項に記載の方法。
【請求項１０】  各アルゴリズムが非対称であることを特徴とする請求項１乃至９のいずれか１項に記載の方法。
【請求項１１】  各暗号化値が、それぞれの暗号化アルゴリズムの私用鍵を使用して計算されたデジタルシグネチャに対応し、各シグネチャが、前記暗号化アルゴリズムの公開鍵を使用して処理可能であることを特徴とする請求項１乃至１０のいずれか１項に記載の方法。
【請求項１２】  各シグネチャとともに、このシグネチャを処理するために使用される前記公開鍵の識別子を出力するステップを含むことを特徴とする請求項１１に記載の方法。
【請求項１３】  前記データおよび暗号化値が、受信機／デコーダに伝送するために出力されることを特徴とする請求項１乃至１２のいずれか１項に記載の方法。
【請求項１４】  前記データおよび暗号化値が、受信機／デコーダによって受信され、各暗号化値が、前記それぞれの暗号化アルゴリズムの鍵を処理して処理され、かつ各々のその後に生じる値が、前記データの前記少なくともいくつかと比較され、前記データの前記少なくともいくつかを認証することを特徴とする請求項１乃至１３のいずれか１項に記載の方法。
【請求項１５】  デジタル伝送システムで伝送されるデータを認証する方法であって、
前記データおよび前記データの少なくともいくつかに対して決定された少なくとも２つの暗号化値を受信するステップであって、各々の暗号化値が、それぞれの暗号化アルゴリズムの鍵を使用して決定されることと、
複数の鍵を記憶するステップと、 前記それぞれの暗号化アルゴリズムの記憶鍵を使用して各々の暗号化値を処理するステップと、 各々のその後に生じる値と前記データの少なくともいくつかと比較し、前記データの少なくともいくつかを認証するステップとを含むことを特徴とするデジタル伝送システムで伝送されるデータを認証する方法。
【請求項１６】  デジタル伝送システムで伝送されるデータを認証する装置であって、
前記データの少なくともいくつかに対する少なくとも２つの暗号化値を決定する手段であって、各暗号化値が、それぞれの暗号化アルゴリズムの鍵を使用して同じデータに対して決定されることと、
前記データとともに前記少なくとも２つの暗号化値を出力する手段とを備えていることを特徴とするデジタル伝送システムで伝送されるデータを認証する装置。
【請求項１７】  前記データが、鍵を含むことを特徴とする請求項１６に記載の装置。
【請求項１８】
前記データが、データを処理する暗号化アルゴリズムの公開鍵を含む少なくとも１つのデジタル認証を含むことを特徴とする請求項１７に記載の装置。
【請求項１９】  前記データが、データを処理する暗号化アルゴリズムの公開鍵を含む少なくとも１つのデジタルルート認証を含むことを特徴とする請求項１８に記載の装置。
【請求項２０】  前記少なくとも１つのデジタル認証が、この認証に含まれた前記公開鍵の前記暗号化アルゴリズムの私用鍵を使用して計算されたデジタルシグネチャを含むことを特徴とする請求項１８又は１９に記載の装置。
【請求項２１】  前記データが、取り消された公開鍵の識別子を含むことを特徴とする請求項１６から２０のいずれか１項に記載の装置。
【請求項２２】  前記識別子が、前記取り消された公開鍵を含むデジタル認証の識別子を含むことを特徴とする請求項２１に記載の装置。
【請求項２３】  前記識別子が、前記取り消された公開鍵を含むデジタルルート認証の識別子を含むことを特徴とする請求項２２に記載の装置。
【請求項２４】  前記データが、複数の前記識別子を含み、各識別子が、それぞれの取り消された公開鍵を識別することを特徴とする請求項２１乃至２３のいずれか１項に記載の装置。
【請求項２５】  各アルゴリズムが非対称であることである特徴とする請求項１６乃至２４のいずれか１項に記載の装置。
【請求項２６】  各々の暗号化値が、それぞれの暗号化アルゴリズムの私用鍵を使用して計算されたデジタルシグネチャに対応し、各シグネチャが、前記暗号化アルゴリズムの公開鍵を使用して処理可能であることを特徴とする請求項２５に記載の装置。
【請求項２７】  前記出力手段が、各シグネチャとともにこのシグネチャを処理するために使用される公開鍵の識別子を出力するように構成されることを特徴とする請求項２６に記載の装置。
【請求項２８】  前記データおよびデータファイルの前記少なくとも２つの暗号化値を編成する手段を含むことを特徴とする請求項１６乃至２７のいずれか１項に記載の装置。
【請求項２９】  前記データファイルが、前記データとともにその後に生成されるデータファイルに出力される暗号化値の最小値の指示を含むことを特徴とする請求項２８に記載の装置。
【請求項３０】  デジタル伝送システムで伝送されるデータを認証するシステムであって、前記システムが請求項１６乃至２９のいずれか１項に記載の装置を含むことを特徴とするシステム。
【請求項３１】  前記データおよび前記暗号化値を受信する手段と、前記それぞれの暗号化アルゴリズムの鍵を使用して各々の暗号化値を処理する手段と、各々のその後に生じる値を前記データの前記少なくともいくつかと比較し、前記データの前記少なくともいくつかを認証する手段とをさらに備えている請求項３０に記載のシステム。
【請求項３２】  受信機／デコーダであって、
データおよび前記データの少なくともいくつかに対して決定される少なくとも２つの暗号化値を含むデータファイルを受信する手段であって、各々の暗号化値が、それぞれの暗号化アルゴリズムの鍵を使用して決定されることと、
複数の鍵を記憶する手段と、 前記それぞれの暗号化アルゴリズムの記憶された鍵を使用して各々の暗号化値を処理する手段と、 各々のその後に生じる値を前記データの前記少なくともいくつかと比較し、前記データの前記少なくともいくつかを認証する手段とを備えていることを特徴とする受信機／デコーダ。